(57)【要約】【課題】皮むき作業の作業性を良好にしつつ、シースが摩耗しにくいケーブルを提供する。【解決手段】ケーブル１は、導体５と導体５を被覆する絶縁体６とを備える絶縁線心２をシース３により被覆してなり、ケーブル軸に沿って真っ直ぐにのびるストライプ４を設けている。ストライプ４は、シース３よりも高硬度の材料からなり、且つ、シース３に溝７を形成するように埋め込まれる基体部分９と基体部分９に連成されてシース３表面から突出する突起部分１０とを有するように形成され、且つ、シース３の全周に渡って複数本設けられている。ストライプ４の配置は、隣り合う突起部分１０のシース３表面をシース３に切り込みを入れるためのシース切り込み部８とすることが可能な配置とし、且つ、隣り合う突起部分１０同士の接線を引くことが可能な配置とする。【選択図】図１
2010027416.tif 000002
【特許請求の範囲】
【請求項１】
導体と該導体を被覆する絶縁体とを備える一又は複数の絶縁線心をシースにより被覆してなり、該シースにはケーブル軸に沿って真っ直ぐにのびるストライプを設けるケーブルにおいて、
前記ストライプは、前記シースよりも高硬度の材料からなり、且つ、前記シースに溝を形成するように埋め込まれる基体部分と該基体部分に連成されて前記シース表面から突出する突起部分とを有するように形成され、且つ、前記シースの全周に渡って複数本設けられ、
前記ストライプの配置は、隣り合う前記突起部分間の前記シース表面を前記シースに切り込みを入れるためのシース切り込み部とすることが可能な配置とし、且つ、隣り合う前記突起部分同士の接線を引くことが可能な配置とする
ことを特徴とするケーブル。
【請求項２】
請求項１に記載のケーブルにおいて、
前記ストライプは、前記突起部分が断面円弧状の形状に形成される
ことを特徴とするケーブル。
【請求項３】
請求項１または請求項２に記載のケーブルにおいて、
前記ストライプは、全体が前記シースとは異なる色に着色され、且つ、前記基体部分が断面Ｖ字形の形状に形成される
ことを特徴とするケーブル。
【発明の詳細な説明】
【技術分野】
【０００１】
本発明は導体とこの導体を被覆する絶縁体とを備える絶縁線心をシースにより被覆してなるケーブルに関する。
【背景技術】
【０００２】
従来より、屋内の電気配線には、例えばＶＶＦ（６００Ｖビニル絶縁ビニルシースケーブル平形）などのケーブルが用いられている。ＶＶＦは、２本の導体にそれぞれ塩化ビニル樹脂からなる絶縁体を被覆して絶縁線心を形成し、この絶縁線心を並列させた状態で塩化ビニル樹脂からなるシースにより被覆されたものとなっている。このようなケーブルは、電気機器等を接続する場合、先ずケーブル端部のシースをカッターなどで切り裂き、次に各絶縁導体を露出させて分離し、最後に導体のみを露出させるというような皮むき作業が行われている。また、屋内のケーブル布設工事を行う場合、天井や壁などの内部の狭いスペースに沿わせるように布設されることが多くなっている。
【０００３】
一般的に、上述した如くの皮むき作業は、シース自体が軟らかい材質により形成されているほど行い易くなることが知られている。しかし、シース自体が軟らかすぎると摩耗し易くなってしまい、ケーブルの機械的強度に問題が生じてしまうことになる。
【０００４】
下記特許文献１には、シース自体を軟らかい材質で形成することなく、上述した皮むき作業を行い易くしたケーブルが開示されている。具体的には、シース表面にケーブル全長に渡る溝を２箇所に設け、これらの溝にシースよりも軟質の発泡材からなりケーブル軸に沿って真っ直ぐなストライプが埋め込まれたケーブルとなっている。このケーブルのシース自体は、摩擦によって必要以上に摩耗してしまうことがないような硬度の材質により形成されている。この開示技術によれば、軟質の発砲材により形成されたストライプが設けられていることから、ストライプ部分での切り裂き作業が行い易いようになっている。
【０００５】
上述した如くの布設作業は、下記特許文献２に開示された技術によれば、シース表面と摩擦面との摩擦抵抗を少なくすることで作業を行い易くすることができるようになっている。下記特許文献２に開示されるケーブルは、シースが適度な硬度の材質により形成されて、シース表面にはケーブル全長に渡り且つケーブル軸に沿う一定深さの溝が全周に渡って均一に設けられたケーブルとなっている。この開示技術によれば、シース自体を適度な硬度の材質にすることによって摩擦による摩耗をし難いようにし且つシースの表面に形成される凹凸によってケーブルと摩擦面との接触面積を減少させている。すなわち、布設時のケーブルの軸線方向の摩擦抵抗を減少させるようになっている。これにより、布設作業が行い易いようになっている。
【特許文献１】特開２００１−１６０３２１号公報
【特許文献２】特開２００２−１８４２４８号公報
【発明の開示】
【発明が解決しようとする課題】
【０００６】
ところで、特許文献２に開示されたケーブルにあっては、ケーブル表面と摩擦面との摩擦を少なくすることによりシースの摩耗に対する配慮がなされているものの、シースが適度な硬度を持つため、皮むき作業の作業性が良くないという問題点を有している。しかし、シース自体を軟質の材料で形成することにより皮むき作業の作業性の向上を図ってしまうと、上述の如く、シースが摩耗し易くなってしまい、結果ケーブルの機能を損なう恐れがあるという問題が出てきてしまう。
【０００７】
この他、特許文献１に開示されたケーブルにあっては、切り込みを入れやすい部分がストライプ部分に限定されていることから、皮むき作業の作業性に関して十分な配慮がなされているとは言えなかった。又、シースの摩耗に関しても、シース自体を軟質の材料で形成していないだけで十分な配慮がなされているとは言えなかった。
【０００８】
本発明は、上記した事情に鑑みてなされたもので、皮むき作業の作業性を良好にしつつ、シースが摩耗しにくいケーブルを提供することを課題とする。
【課題を解決するための手段】
【０００９】
上記課題を解決するためになされた請求項１記載の本発明のケーブルは、導体と該導体を被覆する絶縁体とを備える一又は複数の絶縁線心をシースにより被覆してなり、該シースにはケーブル軸に沿って真っ直ぐにのびるストライプを設けるケーブルにおいて、前記ストライプは、前記シースよりも高硬度の材料からなり、且つ、前記シースに溝を形成するように埋め込まれる基体部分と該基体部分に連成されて前記シース表面から突出する突起部分とを有するように形成され、且つ、前記シースの全周に渡って複数本設けられ、前記ストライプの配置は、隣り合う前記突起部分間の前記シース表面を前記シースに切り込みを入れるためのシース切り込み部とすることが可能な配置とし、且つ、隣り合う前記突起部分同士の接線を引くことが可能な配置とすることを特徴としている。
【００１０】
このような特徴を有する本発明によれば、シースの皮むき作業を行う場合、カッターなどを用いて、突起部分間のシース表面であるシース切り込み部に切り込みを入れる。シースはストライプと比べて低硬度（軟質）の材料で形成されていることから、切り込みを入れ易くなっている。また、切り込みを入れた際に、カッター等の刃がストライプの基体部分に挟まれた状態になるため、刃がずれ難いようになる。また、シース切り込み部は、各突起部分間のシース表面であるため、シースの全周に渡って存在する。すなわち、ケーブルのあらゆる方向から切り込みを入れることが可能になる。従って、シースの皮むき作業が行い易くなる。本発明によれば、ストライプの突起部分により、ケーブル表面に凹凸が形成される。ケーブルの通線作業を行う場合、隣り合う突起部分同士に接線を引くことができる間隔でストライプが配置されているため、隣り合う突起部分が摩擦面と接触するようになる。本発明によれば、突起部分が高硬度（硬質）の材料で形成されていることから、シースを摩耗し難くすることが可能になる。また、本発明によれば、ケーブル表面と摩擦面との接触面積を小さくすることが可能になる。従って、ケーブルと摩擦面との摩擦抵抗を少なくすることが可能になる。本発明によれば、ケーブルと摩擦面との摩擦抵抗が少ないことから、通線作業を行い易くすることも可能になる。
【００１１】
請求項２記載の本発明のケーブルは、請求項１に記載のケーブルにおいて、前記ストライプは、前記突起部分が断面円弧状の形状に形成されることを特徴としている。
【００１２】
このような特徴を有する本発明によれば、ケーブルと摩擦面との摩擦抵抗を少なくするために突起部分を断面円弧形の形状に形成する。
【００１３】
請求項３記載の本発明のケーブルは、請求項１または請求項２に記載のケーブルにおいて、前記ストライプは、全体が前記シースとは異なる色に着色され、且つ、前記基体部分が断面Ｖ字形の形状に形成されることを特徴としている。
【００１４】
このような特徴を有する本発明によれば、ストライプが摩耗してしまった場合に、ストライプの基体部分の摩耗具合に従い、シースが大きく現れるようになる。更に、ストライプがシースと異なる色に着色されていることから、ケーブルの摩耗状態を視認により把握することが可能になる。
【発明の効果】
【００１５】
請求項１に記載された本発明によれば、皮むき作業の作業性を良好にしつつ、シースが摩耗しにくいケーブルを提供することができるという効果を奏する。本発明によれば、通線作業を行い易くすることができるという効果を奏する。
【００１６】
請求項２に記載された本発明によれば、ケーブルと摩擦面との摩擦抵抗に配慮することができるという効果を奏する。
【００１７】
請求項３に記載された本発明によれば、ケーブルの摩耗状態を視認により把握することができるという効果を奏する。
【発明を実施するための最良の形態】
【００１８】
以下、図面を参照しながら説明する。図１は本発明のケーブルの一実施の形態を示す図であり、（ａ）はケーブル端部の斜視図であり、（ｂ）は（ａ）中の線枠に囲まれた部分の拡大図である。また、図２は図１のケーブルに切り込みを入れた状態を示す拡大図である。また、図３は図１のケーブルのストライプの配置を示す拡大図である。図４は、図１のケーブルが摩耗した状態を示す拡大図である。
【００１９】
図１において、引用符号１は本発明のケーブルを示している。ケーブル１は、例えば一本の絶縁線心２と、この絶縁線心２の外周を被覆保護するシース３と、シース３に設けられる複数本のストライプ４とを備えて構成されるとともに、断面略円形（一例であるものとする）に形成されている。ケーブル１は、例えば、屋内において電気機器等を結線するための電気配線に用いられている。ケーブル１は、皮むき作業が行い易く、摩耗し難いように形成されている。以下、先ず、ケーブル１の各構成部材について詳細に説明する。
【００２０】
絶縁線心２は、導体５と、導体５の外周に被覆される絶縁体６とを備えて構成されている。導体５は、銅、銅合金又はアルミニウムなどの金属材料からなる素線を撚り合わせて、断面略円形となる形状に形成されている（材料は一例であるものとする。導体に用いられる公知の金属材料から適宜選択したものを用いてよいものとする）。絶縁体６は、絶縁性を有するポリ塩化ビニル樹脂により形成されている（材料は一例であるものとする。公知の被覆材料から適宜選択したものを用いてよいものとする）。絶縁体６は、導体５を保護することが可能な所定の厚さを有するように設けられている。すなわち、絶縁線心２は、絶縁体６により導体５が保護された状態となっている。
【００２１】
シース３は、絶縁線心２の外周に被覆される被覆部材であって、絶縁性を有するポリ塩化ビニル樹脂により形成されている（材質は一例であるものとする。公知の被覆材料から適宜選択したものを用いてよいものとする）。シース３は、絶縁線心２を保護可能とする所定の厚さを有するように形成されている。シース３は、ストライプ４よりも低硬度（軟質）に形成されている。また、シース３は、絶縁線心２を保護可能とし且つカッター等を用いて切り込みを入れて引き裂くことを可能とする硬度にも調整されている。シース３は、絶縁線心２を確実に保護することができ且つ内部の絶縁線心２から導体５を露出させる皮むき作業を行うことができるように形成されている。
【００２２】
シース３の表面には、後述するストライプ４の基体部分９が埋め込まれるようになっている。シース３の表面は、基体部分９が埋め込まれた状態で断面略Ｖ字形の溝７を形成するようになっている。シース３の表面には、シース３に切り込みを入れるためのシース切り込み部８が設けられている。シース切り込み部８は、後述する隣り合うストライプ４の突起部分１０間のシース３の表面部分となっている（図１（ｂ）参照）。シース切り込み部８は、シース３の全周に渡って存在する状態となっている。従って、シース３は、この全周におけるあらゆる方向から切り込みを入れることができるようになっている。
【００２３】
ストライプ４は、この全体が、絶縁性を有し且つシース３よりも高硬度（硬質）なポリ塩化ビニル樹脂により形成されている（材料は一例であるものとする。シースよりも高硬度であれば、公知の被覆材料から適宜選択したものを用いてよいものとする）。ストライプ４は、シース３よりも摩耗し難くなっている。ストライプ４は、ケーブル軸に沿って真っ直ぐのびてケーブル全長に渡るように形成されている。ストライプ４は、この全体がシース３とは異なる色に着色されている。ストライプ４は、基体部分９と、基体部分９に連成される突起部分１０とを有するように形成されている。基体部分９は、シース３に溝７を形成するように埋め込まれる部分であって、ストライプ４がシース３から取れてしまうことがないように形成されている。基体部分９は、断面Ｖ字形の形状に形成されている（一例であるものとする）。突起部分１０は、例えば通線作業を行う場合に天井や壁等の摩擦面と接触する部分として形成されている。
【００２４】
ストライプ４は、シース３の全周に渡って複数本設けられている。ストライプ４は、突起部分１０により、ケーブル１の表面全周に渡って凹凸を形成するようになっている。この突起部分１０は、断面円弧状の形状に形成されている（一例であるものとする）。突起部分１０は、ケーブル１と摩擦面との接触面積が小さくなるように形成されている。すなわち、ストライプ４は、ケーブル１と摩擦面との摩擦抵抗を少なくするようになっている。従って、ストライプ４は、通線作業が行い易いようになっている。
【００２５】
ストライプ４の配置は、隣り合うストライプ４の突起部分１０間のシース３表面をシース切り込み部８とすることが可能な配置となっている。このように配置することにより、上述した如く、シース切り込み部８をシース３の全周に渡って存在する状態にすることができるようになっている。また、図２に示す如く、隣り合うストライプ４の基体部分９は、シース切り込み部８に切り込みを入れた時に、カッター２０を基体部分９間に挟むような状態にしている。基体部分９は、シース３より高硬度であることから、カッター２０の刃がずれ難いようになっている。基体部分９は、切り込みガイドとしての機能も有している。ストライプ４の配置は、皮むき作業が行い易いようになっている。
【００２６】
更に、ストライプ４の配置は、図３に示す如く、隣り合う突起部分１０同士の接線Ｌ１を引くことが可能な配置となっている。図３において、接線Ｌ１を摩擦面とすると、摩擦面は隣り合う突起部分１０のみと接触する状態になっている。すなわち、突起部分１０が削れてしまわない限り、シース３が摩擦面と接触することはないようになっている。突起部分１０は、断面円弧状の形状に形成されていることから、摩擦面との接触面積が小さくなり、摩擦面との摩擦抵抗が小さくなるように形成されている。突起部分１０は、高硬度に形成され且つ摩擦抵抗が小さくなるように形成されているため、摩耗し難くなっている。従って、ストライプ４の配置は、シース３が摩耗し難いようになっている。
【００２７】
尚、図３に示すストライプ４の配置は、同じく図３に示す隣り合うストライプ４’の突起部分１０’同士の接線Ｌ２を引くことが可能な配置としてもよいものとする。図３の接線Ｌ２を摩擦面とすると、摩擦面は突起部分１０’とシース３’の表面に接触する状態になっている。突起部分１０’はシース３’より高硬度に形成されていることから、摩擦があった場合に、シース３’はこの表面部分が若干削れることになる。表面部分のみの削れであれば、ケーブル１の機能を損なうことはないことから、ストライプ４’の配置としてもシース３’が摩耗し難いようになっている。
【００２８】
又、ストライプ４は、図４に示す如くストライプ４が摩耗してしまった場合、ケーブル１の摩耗度合いがわかるように形成されている。ストライプ４は、基体部分９が断面Ｖ字形状に形成されていることから、ストライプ４が摩耗するに従って、ストライプ４の幅Ａが小さくなり且つシース３の幅Ｂが大きくなるように形成されている。すなわち、ストライプ４は、摩耗するに従って、色の異なるシース３が徐々に大きく現れるようになっている。ストライプ４は、ケーブル１の摩耗度合いが分かるように形成されている。
【００２９】
続いて、上述した如くの構成及び構造を有するケーブル１の製造方法の一例を説明する。
【００３０】
先ず、第一工程として、絶縁線心２の上に押し出し成形装置を用いてシース３を押し出し成形して、溝付きケーブルを製造する。この時、シース３は、この表面に溝７を全周に渡って有するように押し出されている。また、溝７はケーブル全長に渡ってケーブル軸に沿って真っ直ぐに形成され、且つ、ケーブル軸に垂直な方向の断面形状がＶ字形状となるように形成されている。溝７は、ストライプ４が上述した配置となるように設けられている。次に、第二工程として、押し出し成形装置を用いてシース３の溝７を埋めるようにストライプ４を押し出し成形する。この時、ストライプ４は、シース３の表面から突出する突起部分１０を形成するように押し出されている。以上の工程により、ケーブル１の製造が完了する。
【００３１】
続いて、上述した各構成及び構造に基づきながら、ケーブル１の結線作業の一例を説明する。
【００３２】
先ず、天井や壁の内部に沿わせるようにケーブル１を通線する作業を行う。次に、ケーブル１の端部において導体５を露出させる皮むき作業を行う。具体的には、ケーブル１端部のシース３のシース切り込み部８にカッター２０等を用いて切り込みを入れて、シース３を切り裂き絶縁線心２を露出させて、絶縁線心２から導体５を露出させる作業となる。最後に、導体５を電気機器等の接続部に接続する作業を行う。以上によりケーブル１の結線作業が完了する。
【００３３】
以上、図１ないし図４を参照しながら説明してきたように、本発明のケーブル１によれば、シース３はストライプ４と比べて低硬度（軟質）の材料で形成されていることから、切り込みを入れ易くなっている。また、切り込みを入れた際に、カッター等の刃がストライプ４の基体部分９に挟まれた状態になるため、刃がずれ難いようになる。また、シース切り込み部８は、各突起部分１０間のシース３表面であるため、シース３の全周に渡って存在する。すなわち、ケーブル１のあらゆる方向から切り込みを入れることが可能になる。従って、シース３の皮むき作業が行い易くなる。
【００３４】
本発明のケーブル１によれば、ストライプ４の突起部分１０により、ケーブル１表面に凹凸が形成される。ケーブル１の通線作業を行う場合、隣り合う突起部分１０同士に接線を引くことができる間隔でストライプ４が配置されているため、隣り合う突起部分１０が摩擦面と接触するようになる。突起部分１０は、摩擦面との接触面積を小さくするように形成されていることから、摩擦面との摩擦抵抗が少なくすることができる。従って、突起部分１０は摩耗し難くなっている。本発明のケーブル１によれば、突起部分１０が摩耗し難いことから、シース３が摩耗し難くいようになる。
【００３５】
本発明のケーブル１によれば、突起部分１０が摩擦面と接触することにより、ケーブル１表面と摩擦面との接触面積を小さくすることが可能になる。従って、ケーブル１の摩擦抵抗を少なくすることが可能になる。本発明のケーブル１によれば、ケーブル１の摩擦抵抗が少ないことから、通線作業を行い易くすることも可能になる。
【００３６】
本発明のケーブル１によれば、ストライプ４が摩耗してしまった場合に、ストライプ４の基体部分９の摩耗具合に従い、シース３が大きく現れるようになる。更に、ストライプ４がシース３と異なる色に着色されていることから、シース３の摩耗状態を視認により把握することが可能になる。
【００３７】
最後に、図５を参照しながら、本発明のケーブルの他の一実施の形態を説明する。図５は、本発明のケーブルの他の実施形態を示す斜視図である。尚、図１ないし図４を参照しながら説明したケーブル１と同様の機能・形状を有する部分には同一の符号を付し、その説明を省略するものとする。
【００３８】
図５において、上述の実施形態と比べると、ケーブル１１は、この形状と内部に有する絶縁線心２の数・配置がケーブル１と異なっている。従って、本形態のおいては、ケーブル１１の形状と絶縁線心の数・配置についてのみ説明する。
【００３９】
ケーブル１１は、この軸に垂直な断面形状が略長円形の形状となるように形成されている。ケーブル１１は、２本の絶縁線心２と、この絶縁線心２の外側を被覆保護するシース３と、シース３に設けられる複数本のストライプ４とを備えて構成されている。絶縁線心２は、導体５とこの導体５を被覆する絶縁体６とを備えて構成されている。ケーブル１１は、２本の絶縁線心２を並列に並べた状態にして、シース３により被覆されている。
【００４０】
ケーブル１１は、上述の如く、この形状と絶縁線心２の数・配置がケーブル１と異なっているが、構成する各部材は上述した実施形態と同様の機能・形状を有するように形成されている。従って、上述した実施形態と同様の効果を奏することができるようになっている。
【００４１】
以上、図１ないし図５において、本発明よれば、皮むき作業の作業性を良好にし、且つ、シース３が摩耗しにくく、且つ、摩耗度合いを視認することができるケーブル１、１１を提供することができるという効果を奏する。
【００４２】
この他、本発明は本発明の主旨を変えない範囲で種々変更実施可能なことは勿論である。
【図面の簡単な説明】
【００４３】
【図１】本発明のケーブルの一実施の形態を示す図であり、（ａ）は斜視図であり、（ｂ）は（ａ）の線枠に囲まれた部分の拡大図である。
【図２】ケーブルに切り込みを入れた状態を示す拡大図である。
【図３】ケーブルにおけるストライプの配置を示す拡大図である。
【図４】ケーブルが摩耗した状態を示す拡大図である。
【図５】本発明のケーブルの他の一実施の形態を示す斜視図である。
【符号の説明】
【００４４】
１  ケーブル
２  絶縁線心
３  シース
４  ストライプ
５  導体
６  絶縁体
７  溝
８  シース切り込み部
９  基体部分
１０  突起部分
１１  ケーブル
２０  カッター
【図１】
2010027416.tif 000003
【図２】
2010027416.tif 000004
【図３】
2010027416.tif 000005
【図４】
2010027416.tif 000006
【図５】
2010027416.tif 000007